(57)【要約】【課題】ＬＧＡパッケージ用ソケットにおいて、ソケットのハウジングが変形しない、小型でありながら十分な強度を有する、耐久性があり、簡単且つ取付作業性のよいものとする。【解決手段】ＬＧＡパッケージ用ソケット１のカバー部材８は、その軸受舌片６４が、軸２６軸の周りに回動可能に取り付けられる。他方、金属製補強プレート１０は、４つの保持片８２により、ハウジング２の下側に取り付けられる。レバー１２は、補強プレート１０の軸支片９２、９６によって軸支される。カバー部材８がＬＧＡパッケージ２００を押圧するとき、軸２６とレバー１２のロック部１５により係止される。このとき、ハウジング２は、剛性のある金属製のカバー部材８と補強プレート１０とにより保持される。これにより、ハウジング２が変形する虞は低減される。【選択図】          図９
2004207184.tif 000002
【特許請求の範囲】
【請求項１】
各々が電気コンタクトを収容する多数のキャビティを有する矩形の絶縁ハウジングと、該絶縁ハウジングの一端側に回動可能に取り付けられたカバー部材と、前記絶縁ハウジングの前記一端側に対向する他端側に回動自在に取り付けられたレバーとを備え、前記カバー部材を閉じて前記絶縁ハウジング上に載置されたＬＧＡパッケージを前記電気コンタクトに押圧して電気的に接続するとともに、閉じた前記カバー部材の自由端部が前記レバーにより係止されるよう構成されたＬＧＡパッケージ用ソケットにおいて、
前記レバーを前記他端側で軸支し、前記一端側と前記他端側との間に延在する金属製補強部材を前記絶縁ハウジングの下面側に有し、該金属製補強部材と前記カバー部材との間に前記ＬＧＡパッケージおよび前記絶縁ハウジングを互いに密接状態に保持するよう構成されてなることを特徴とするＬＧＡパッケージ用ソケット。
【請求項２】
前記金属製補強部材は、前記レバーと前記カバー部材とが係止された状態で、前記レバーを固定する係止部を一体に有することを特徴とする請求項１記載のＬＧＡパッケージ用ソケット。
【請求項３】
前記金属製補強部材は、前記絶縁ハウジングの全周に沿って延在する一体部材であることを特徴とする請求項１または２記載のＬＧＡパッケージ用ソケット。
【請求項４】
前記金属製補強部材は、各々前記一端側と前記他端側に亘って延在する２辺に沿って前記絶縁ハウジングに取り付けられる２部材からなることを特徴とする請求項１または２記載のＬＧＡパッケージ用ソケット。
【請求項５】
前記カバー部材は、前記絶縁ハウジングの前記一端側で前記金属製補強部材に軸支されていることを特徴とする請求項１から４いずれか１項記載のＬＧＡパッケージ用ソケット。
【請求項６】
前記カバー部材および前記金属製補強部材はともに回転軸孔を有し、前記カバー部材は、前記金属製補強部材とは別体の金属製軸部材により、前記金属製補強部材に軸支されていることを特徴とする請求項５記載のＬＧＡパッケージ用ソケット。
【請求項７】
各々が電気コンタクトを収容する多数のキャビティを有する矩形の絶縁ハウジングと、該絶縁ハウジングを収容する金属製補強部材と、該金属製補強部材の一端側に回動可能に取り付けられたカバー部材と、前記金属製補強部材の前記一端側に対向する他端側に回動自在に取り付けられたレバーとを備え、
前記絶縁ハウジングおよび該絶縁ハウジング上に載置されたＬＧＡパッケージが、前記カバー部材を閉じることにより前記金属製補強部材および前記カバー部材間に挟持されるとともに、閉じた前記カバー部材の自由端部が前記レバーにより係止されて、前記ＬＧＡパッケージを前記電気コンタクトに電気的に接続するよう構成されてなることを特徴とするＬＧＡパッケージ用ソケット。
【請求項８】
前記レバーは、前記カバー部材の自由端部を係止するロック部と、該ロック部の両側で前記金属製補強部材に軸支される軸支部と、該軸支部から所定の角度に折曲げられて前記金属製補強部材の係止突起に係止可能な操作部とを有し、
前記操作部側の前記軸支部から前記操作部に至る軸は、前記操作部の前記係止突起からの離脱操作にともなう前記軸の変位を可能とする長さを有するとともに、前記軸の少なくとも前記操作部と反対側に、前記変位を吸収する空間が形成されていることを特徴とする請求項７記載のＬＧＡパッケージ用ソケット。
【請求項９】
前記操作部と前記軸支部とのなす角度を直角とするとともに、前記軸と前記操作部とのなす角度を鈍角とし、それにより前記軸の前記操作部と反対側に前記空間を形成してなることを特徴とする請求項８記載のＬＧＡパッケージ用ソケット。
【請求項１０】
前記絶縁ハウジングは複数の加締部を有し、前記金属補強部材は、前記加締部と係合する係合部を有し、前記絶縁ハウジングは、前記加締部の加締めにより前記金属補強部材に固定されていることを特徴とする請求項７から９いずれか１項記載のＬＧＡパッケージ用ソケット。
【請求項１１】
前記カバー部材は、ＬＧＡパッケージの一部を露出させる開口を有するとともに、前記カバー部材の外縁から前記開口の対向する端縁に向けて前記ＬＧＡパッケージ側に突出する曲面を有し、該各曲面の最突出部に前記カバー部材を閉じたときに、前記ＬＧＡパッケージを押圧する加圧点を有していることを特徴とする請求項７から１０いずれか１項記載のＬＧＡパッケージ用ソケット。
【請求項１２】
前記曲面は、漸次増大する曲率を有し、前記加圧点で最大の曲率を有するよう構成されていることを特徴とする請求項１１記載のＬＧＡパッケージ用ソケット。
【発明の詳細な説明】
【０００１】
【発明の属する技術分野】
本発明は、絶縁ハウジングの上に載置されたＬＧＡパッケージを、絶縁ハウジングに収容された電気コンタクトに加圧状態で電気的に接続するとともに、ＬＧＡパッケージをプリント回路基板（プリント板）に電気的に接続するＬＧＡパッケージ用ソケットに関するものである。
【０００２】
【従来の技術】
従来、ＩＣパッケージを取り付けるためのＩＣパッケージ用ソケットとして、様々なタイプのものが知られている。このＩＣパッケージは、多数の電気コンタクトがマトリックス状に配置されている。この電気コンタクトの電気的接触部の形状によって、ＰＧＡ（ピングリッドアレイ）パッケージ、ＢＧＡ（ボールグリッドアレイ）パッケージおよびＬＧＡ（ランドグリッドアレイ）パッケージに種類分けされている。そしていずれの型式のＩＣパッケージにおいても、多数の電気コンタクトを、ソケットのハウジングに収容された電気コンタクトに接触させて接続させるので、通常大きな接触圧力が発生する。
【０００３】
その接触圧力がソケットに加わる場合は、ソケットが変形したりしないように十分な強度を有するよう種々の工夫がなされている。その一例として、細い金属製枠部材にソケットのハウジングを形成する絶縁性樹脂をオーバーモールドして、絶縁ハウジングを補強したＰＧＡパッケージ用ソケットが知られている（特許文献１）。
【０００４】
また、上下方向即ちプリント板に垂直方向に力が加わるＬＧＡパッケージ用ソケットの場合は、絶縁ハウジングの変形を阻止するために、１対の金属製補強金具が用いられていた。この金属製補強金具は、ソケットが取り付けられる実装基板の両面、即ち表面と裏面の両側から、ＬＧＡパッケージと、このＬＧＡパッケージが取り付けられたＬＧＡパッケージ用ソケットの両者を共締めするよう構成されている。この金属製補強金具は、ソケットに載置されたＬＧＡパッケージの上に配置される荷重負荷プレート或いはヒートシンクと、実装基板の下に配置される基板反り抑制プレートとから構成されている。
【０００５】
また、ＩＣパッケージの多数の電気コンタクトを、ソケットの他の電気コンタクトと接続させて、その接続状態を維持するのにレバーが用いられることがある（特許文献２）。このレバーは、ソケットの樹脂製ハウジングと一体成型された突起或いは弾性係止片と係合して固定され、ＩＣパッケージとソケットとの電気的接続状態を維持するようになっている。（特許文献２）
【０００６】
【特許文献１】
特開２０００−１７３７３５号公報（図１、図２）
【０００７】
【特許文献２】
実開平２−８６０９０号公報（図１、図３）
【０００８】
【発明が解決しようとする課題】
上記、特許文献１に開示された従来技術のように、金属製枠部材に絶縁性樹脂をオーバーモールドして形成されたハウジングの場合は、ハウジングの周縁部を補強してＰＧＡ用パッケージを接続することができる。このＰＧＡパッケージ用ソケットの場合は、カム或いはレバーによりＰＧＡパッケージを載置したスライドカバーを水平に移動させることによって接続するので、ハウジングに上下方向の大きな力が加わることはない。このように、各パッケージによって、ソケットへ加わる力の方向が異なっており、特許文献１に開示された方式のソケットは、ＰＧＡパッケージ用として適したものであっても、ハウジングの底面を補強していないので、ソケットの上方からＬＧＡパッケージを押圧することによって上下方向に大きな荷重を生じるＬＧＡパッケージ用ソケットとしては強度が十分であるとはいえない。
【０００９】
また、上記従来技術のＬＧＡパッケージ用ソケットのように、ＬＧＡパッケージ、ＬＧＡパッケージ用ソケットおよび実装基板をともにねじにより固定する方式の場合は次のような問題がある。即ち、プレート或いはヒートシンクと基板反り抑制プレートは、それらの４隅に、締結部材としてねじを挿通してナットで締め付けることによって、ソケットの変形を防止するので、プリント板上にソケット自体が必要とする占有面積より大きい面積を必要とする。従って、ソケットの変形は阻止できるものの、大型且つねじ等の部品点数が多く、また、取付け作業が繁雑となる。また、ソケット周辺の基板にねじを挿通するための孔を穿設することも必要となる。また、このような構成を簡略化して、例えば、ヒートシンクとプリント板との間に、ＬＧＡパッケージとソケットを配置して、プリント板に直接ねじ止めする方法もあるが、この方式では、プリント板の反りが大きくなるという問題がある。
【００１０】
また、レバーが、ソケット（樹脂製ハウジング）に一体に形成された突起或いは弾性係止片により係止される場合は、突起或いは弾性係止片は樹脂製であるため、レバーの係止操作によりレバーと擦れ合って摩耗しやすく、耐久性に劣るという問題があった。この係止片を別体の金属製部材で構成すると、部品点数が増え、コスト高になるという問題があった。
【００１１】
また、ＬＧＡパッケージをソケットに配置し、カバー部材で押圧して電気的接続をするとき、ソケットのハウジングが変形すると、ハウジングの歪みによって電気コンタクトの配列の平面度に歪みが生じることがある。その結果、ＬＧＡパッケージと絶縁ハウジングのコンタクト同士の良好な電気的接続がなされなくなる虞がある。また、接続の際、レバー操作に要した力はハウジングの変形により吸収されて、操作力が接続のために効果的に伝達されないという問題がある。
【００１２】
本発明は、以上の点に鑑みてなされたものであり、ＬＧＡパッケージをソケットに取り付けても、ソケットのハウジングが変形せずに十分な強度を有する、取付作業性のよい簡単な構造のＬＧＡパッケージ用ソケットを提供することを目的とする。
【００１３】
また、本発明の別の目的は、ソケットの実装面積を大きくしなくとも強度を確保できるＬＧＡパッケージ用ソケットを提供することにある。
【００１４】
さらに、本発明の他の目的は、耐久性のあるＬＧＡパッケージ用ソケットを提供することにある。
【００１５】
【課題を解決するための手段】
本発明のＬＧＡパッケージ用ソケットは、各々が電気コンタクトを収容する多数のキャビティを有する矩形の絶縁ハウジングと、絶縁ハウジングの一端側に回動可能に取り付けられたカバー部材と、絶縁ハウジングの一端側に対向する他端側に回動自在に取り付けられたレバーとを備え、カバー部材を閉じて絶縁ハウジング上に載置されたＬＧＡパッケージを電気コンタクトに押圧して電気的に接続するとともに、閉じたカバー部材の自由端部がレバーにより係止されるよう構成されたＬＧＡパッケージ用ソケットにおいて、レバーを他端側で軸支し、一端側と他端側との間に延在する金属製補強部材を絶縁ハウジングの下面側に有し、金属製補強部材とカバー部材との間にＬＧＡパッケージおよび絶縁ハウジングを互いに密接状態に保持するよう構成されていることを特徴とするものである。
【００１６】
カバー部材は、一端側に軸受舌片を有し、また、絶縁ハウジングは一端側に軸を有し、カバー部材はこの軸受舌片を絶縁ハウジングの軸に係合させて絶縁ハウジングに取り付けてもよい。
【００１７】
上記金属製補強部材は、一端側に略Ｌ字状の保持片を有し、この保持片により絶縁ハウジングに係止するように構成してもよい。
【００１８】
カバー部材と金属製補強部材は、絶縁ハウジングの前記軸を介して互いに係合することが好ましい。
【００１９】
また、金属製補強部材は、レバーとカバー部材とが係止された状態で、レバーを固定する係止部を一体に有するよう構成することができる。
【００２０】
さらに、金属製補強部材は、絶縁ハウジングの全周に沿って延在する一体部材としてもよく、或いは、各々一端側と他端側に亘って延在する２辺に沿って絶縁ハウジングに取り付けられる２部材から構成してもよい。
【００２１】
本発明の１つの態様として、カバー部材が、絶縁ハウジングの一端側で金属製補強部材に軸支されよう構成することができる。この場合、カバー部材が回転軸を有し補強部材が回転軸受を有してもよいし、その逆の構成でもよい。
【００２２】
さらに、カバー部材および金属製補強部材はともに回転軸孔を有し、カバー部材が、金属製補強部材とは別体の金属製軸部材により、金属製補強部材に軸支されるよう構成してもよい。
【００２３】
また、本発明の他の態様のソケットは、各々が電気コンタクトを収容する多数のキャビティを有する矩形の絶縁ハウジングと、この絶縁ハウジングを収容する金属製補強部材と、金属製補強部材の一端側に回動可能に取り付けられたカバー部材と、金属製補強部材の一端側に対向する他端側に回動自在に取り付けられたレバーとを備え、絶縁ハウジングおよび絶縁ハウジング上に載置されたＬＧＡパッケージが、前記カバー部材を閉じることにより金属製補強部材およびカバー部材間に挟持されるとともに、閉じたカバー部材の自由端部がレバーにより係止されて、ＬＧＡパッケージを電気コンタクトに電気的に接続するよう構成されてなることを特徴とする。
【００２４】
前述のレバーは、カバー部材の自由端部を係止するロック部と、ロック部の両側で金属製補強部材に軸支される軸支部と、軸支部から所定の角度に折曲げられて金属製補強部材の係止突起に係止可能な操作部とを有し、操作部側の軸支部から操作部に至る軸は、操作部の係止突起からの離脱操作にともなう軸の変位を可能とする長さを有するとともに、軸の少なくとも操作部と反対側に、変位を吸収する空間が形成されてもよい。
【００２５】
また、操作部と軸支部とのなす角度を直角とするとともに、軸と操作部とのなす角度を鈍角とし、それにより軸の操作部と反対側に空間を形成してもよい。
【００２６】
また、絶縁ハウジングは複数の加締部を有し、金属補強部材は、加締部と係合する係合部を有し、絶縁ハウジングは、加締部の加締めにより金属補強部材に固定されていてもよい。
【００２７】
さらに、カバー部材は、ＬＧＡパッケージの一部を露出させる開口を有するとともに、カバー部材の外縁から開口の対向する端縁に向けてＬＧＡパッケージ側に突出する曲面を有し、各曲面の最突出部にカバー部材を閉じたときに、ＬＧＡパッケージを押圧する加圧点を有するよう構成することができる。
【００２８】
また、曲面は、漸次増大する曲率を有し、加圧点で最大の曲率を有するよう構成されてもよい。この曲率は、最も曲率が大きい加圧点で、曲率半径が２１３ｍｍであり、最も曲率が小さい周辺部で曲率半径が７８８ｍｍとすることができる。
【００２９】
【発明の効果】
本発明のＬＧＡパッケージ用ソケットは、絶縁ハウジングの下面側に、レバーを他端側で軸支し、一端側でハウジングに係止される、一端側と他端側との間に延在する金属製補強部材を有している。そして、この金属製補強部材とカバー部材との間にＬＧＡパッケージおよび絶縁ハウジングを互いに密接状態に保持するよう構成されているので、次の効果を奏する。
【００３０】
即ち、ソケットのハウジングにＬＧＡパッケージの接続のための力が加わっても金属製補強部材とカバー部材との間に保持されているため、金属製補強部材によりソケットに加わる力が支持され、ＬＧＡソケットが変形する虞のない、接続の荷重に抗する十分な強度を有するＬＧＡパッケージ用ソケットとすることができる。また、また金属製補強部材をねじを使用しないでハウジングに簡単に取り付けることができるので、取付け作業性のよいものとすることができる。さらに、ソケットの実装面積の範囲内に金属製補強部材を取り付けることができるので、強度を確保しつつプリント板上の実装面積をソケットの範囲内に押さえることができる。
【００３１】
また、レバーの係止部が、金属製の補強部材と一体に形成された場合は、レバーの操作により係止部が摩耗することがほとんどないので、摩耗に強く、耐久性のあるＬＧＡパッケージ用ソケットとすることができる。
【００３２】
上記金属製補強部材が、絶縁ハウジングの全周に延在する一体部材である場合は、絶縁ハウジングを全周に亘って保持するため、絶縁ハウジングの変形を強力に阻止するとともに、一体部材であるためハウジングへの取付けが容易であり、組立性のよいＬＧＡパッケージ用ソケットとすることができる。
【００３３】
また、金属製補強部材が、一端側から他端側に亘る２辺に沿って取り付けられる２部材からなる場合は、金属製補強部材によって、ハウジングの反りが阻止されるとともに、金属製補強部材がハウジングの全周に亘って延在していないので、全体としてＬＧＡパッケージ用ソケットを軽量化することができる。
【００３４】
カバー部材が、絶縁ハウジングの一端側で金属製補強部材に軸支されよう構成されている場合は、ハウジングの一端側においても過大な荷重が加わらず、ハウジングの変形を防止することができる。
【００３５】
さらに、カバー部材および金属製補強部材がともに回転軸孔を有し、カバー部材が、金属製補強部材とは別体の金属製軸部材により、金属製補強部材に軸支されるよう構成されている場合は、カバー部材および金属製補強部材の構成が簡単になる。
【００３６】
また、本発明の他の態様のソケットは、絶縁ハウジングおよび絶縁ハウジング上に載置されたＬＧＡパッケージが、カバー部材を閉じることにより金属製補強部材およびカバー部材間に挟持され、また、閉じたカバー部材の自由端部がレバーにより係止されて、ＬＧＡパッケージを電気コンタクトに電気的に接続するよう構成されているので次の効果を奏する。
【００３７】
即ち、カバー部材とレバーが、絶縁ハウジングを介さずに直接係合し、絶縁ハウジングを変形させることがない。従って、電気コンタクト同士の接続が円滑になされ、電気的接続の信頼性が向上する。さらに、絶縁ハウジングが変形して操作力が吸収されることがないので、ＬＧＡパッケージを電気コンタクトに付勢する荷重が不足して電気的接続の信頼性が損なわれることが防止できる。
【００３８】
前述のレバーの操作部側の軸支部から操作部に至る軸が、操作部の係止突起からの離脱操作にともなう軸の変位を可能とする長さを有し、軸の少なくとも操作部と反対側に、変位を吸収する空間が形成されている場合は、レバーを係止突起から外す際に、軸が容易に変位可能となってレバーの解除操作力を低減でき、解除作業性が向上する。
【００３９】
また、操作部と軸支部とのなす角度を直角とするとともに、軸と操作部とのなす角度を鈍角とし、それにより軸の操作部と反対側に空間が形成されている場合は、軸の操作部と反対側の構造に係わらず空間を形成できるので、解除作業性が確実に向上する。
【００４０】
また、絶縁ハウジングが複数の加締部を有し、金属補強部材が、加締部と係合する係合部を有し、絶縁ハウジングは、加締部の加締めにより金属補強部材に固定されている場合は、単に加締めにより固定できるので、金属製補強部材の構造を簡素にできるとともに、金属製補強部材の剛性を損なうことがない。
【００４１】
さらに、カバー部材が、ＬＧＡパッケージ側に突出する曲面を有し、各曲面の最突出部にカバー部材を閉じたときに、ＬＧＡパッケージを押圧する加圧点を有するよう構成されている場合は、ＬＧＡパッケージに荷重をかけるときに、カバー部材が加重により上方に変形してもＬＧＡパッケージの上面を越えて突出することが回避できる。従って、ＬＧＡパッケージの上面に他の部品、例えば、ヒートシンク等が取り付けられていても、カバー部材の変形によって、このような部品が上方に持ち上げられて外れることが防止される。
【００４２】
また、曲面が、漸次増大する曲率を有し、加圧点で最大の曲率を有するよう構成されている場合は、カバー部材がＬＧＡパッケージの上面を越えて突出することが回避できるとともに、曲率の大きい加圧点でＬＧＡパッケージを確実に押圧することができる。即ち、加圧部を２種類の曲率で構成することにより、加圧時にＬＧＡパッケージの上面を越えることなく、また、加圧ポイントを変化させることなく荷重を加えることができる。
【００４３】
【発明の実施の形態】
以下、本発明のＬＧＡパッケージ用ソケット（以下、単にソケットという）の好ましい実施の形態について、添付図面を参照して詳細に説明する。図１は、ＬＧＡパッケージが取り付けられた、本発明の第１の実施形態のソケット１を上方から見た斜視図であり、図２はソケット１を下方から見た斜視図である。
【００４４】
まず、最初に図１を参照して、ソケット１の概略を説明する。ソケット１は、樹脂等で成型された絶縁ハウジング（以下、単にハウジングという）２と、このハウジング２の一端４側に回動可能に取り付けられた、矩形の開口６８を有するカバー部材８と、ハウジング２の底面側に取り付けられた金属製補強プレート（金属製補強部材）（以下、単に補強プレートという）１０と、ハウジング２の他端６側で軸支されたレバー１２とを有する。このレバー１２は、カバー部材８の自由端部をロック（係止）するという機能を有する。ハウジング２は、矩形の枠体即ち外側ハウジング３と、後述する内側ハウジング１２０（図４、図５）とから構成される。
【００４５】
なお、図１中２００で示すのは、ハウジング２の上部に載置された、カバー部材８の開口６８に位置するＬＧＡパッケージである。図１においては、ＬＧＡパッケージ２００が、カバー部材８によりハウジング２の上部に押圧されて、ハウジング２の図示しない電気コンタクトに電気的に接続されている。また、レバー１２は、補強プレート１０の係止突起（係止部）１４により固定されている。
【００４６】
次に、図２に示すように、補強プレート１０は、中央に大きな矩形の開口１６を有する矩形状であり、ハウジング２或いは外側ハウジング３の略全周に沿って外側ハウジング３の底面１１（図３（ｂ））に延在している。なお、図２において１２８で示すのは、電気コンタクト（図示せず）を収容する、内側ハウジング１２０に形成されたキャビティである。
【００４７】
次に、図３を参照して、ハウジング２を構成する外側ハウジング３について詳細に説明する。図３は、外側ハウジング３を示し、図３（ａ）は外側ハウジング３を上方から見た斜視図、図３（ｂ）は下方から見た斜視図を夫々示す。外側ハウジング３は、中央に矩形の開口２２を有する矩形の枠状となっており、一端４には、前述のカバー部材８が回動可能に取り付けられる離隔した１対の円柱状の軸２６が形成されている。各軸２６は、その上部に平坦な切欠即ち受け座２４を有する。
【００４８】
この各軸２６と開口２２との間には、外側ハウジング３を上下に貫通する空隙２８が形成されている。この空隙２８にカバー部材８が取り付けられるが、詳細は後述する。また、１対の軸２６の間には、１対の離隔した略矩形の凸面３０が形成されている。各凸面３０には、上方且つ外方に開放する凹み即ち受け座３２が形成されている。これらの受け座２４、３２は同じ高さであるとともに、それらの並び方向に整列されている。受け座３２の下部には、外側ハウジング３の厚みを有する矩形ブロック３４が形成されている。
【００４９】
外側ハウジング３の他端６側の両側に、上下に貫通する凹所３６、３８が形成されている。凹所３６は深く、凹所３８は浅く形成されている。これらの凹所３６、３８の間には、レバー１２のロック部１５（図１）を収容するための矩形の開口４０が形成されている。そして開口４０と凹所３６、３８を連通するように後壁４２と平行に下方に開放するＵ字状溝４４が形成されている。このＵ字状溝４４には、レバー１２が配置される。
【００５０】
一端４と他端６の間に延びる側壁４６、４８には、これらの側壁４６、４８に夫々沿って延びる突壁４７、４９が形成されている。突壁４７は連続しているが、突壁４９の中間には、切欠５０が形成されている。この切欠５０には前述の補強プレート１０の係止突起１４が配置されるが、取り付けの態様についての詳細は後述する。また、Ｕ字状溝４４近傍の後壁４２の内側には、後壁４２に沿って延びる下方に開放した溝５２が形成されている（図３（ｂ））。開口２２の一端４側および他端６側の内壁２１には、夫々離隔した下向きの突片５８、５８、５９、５９が形成されている。
【００５１】
外側ハウジング３の開口２２内には、開口２２の内壁２１に沿って、上向きの段部２３が形成されている。この段部２３には、内側ハウジング１２０（図４、図５）が載置されるが、詳細は後述する。また、開口２２に近接して側壁４６、４８の内側に側壁４６、４８に夫々沿って延びる、上方に開放した逃げ溝６０、６２が形成されている。これらの逃げ溝６０、６２には、後述するカバー部材８の側壁７０、７０が配置される。
【００５２】
次に、図４および図５を参照して内側ハウジング１２０について説明する。図４は、内側ハウジング１２０を上方から見た斜視図、図５は下方から見た斜視図を夫々示す。内側ハウジング１２０は、樹脂等の絶縁性材料から成型された矩形状を呈しており、外側ハウジング３の開口２２の内壁２１に圧入可能な外形寸法を有する。内側ハウジング１２０は、上部に外周壁１２２により画成された、ＬＧＡパッケージ２００を受容するパッケージ受容部１２４を有する。前述の内壁２１には、この外周壁１２２の部分が圧入される。
【００５３】
このパッケージ受容部１２４の底面１２６の中央には開口１３０が形成されている。この開口１３０を除く底面１２６には、電気コンタクト（図示せず）が受容されるキャビティ１２８がマトリックス状に多数形成されている。なお、図４ではそれらの一部のみを示しているが、実際は、開口１３０を除く底面１２６の略全面に亘り形成されている。
【００５４】
図５に示すように、内側ハウジング１２０の底部には、内側ハウジング１２０が前述の外側ハウジング３の開口２２に載置されたときに、開口２２の上向きの段部２３に当接する下向きの段部１３２が４辺即ち全周に形成されている。なお、外周壁１２２に沿って形成された角穴１３４および凹み１３５は、内側ハウジング１２０を樹脂で成型した後の「ひけ」を防止するための肉抜きである。また、図５中、１３６で示すのは、ソケット１がプリント板（図示せず）に取り付けられたときに、プリント板と内側ハウジング１２０との間隔を維持するためのスタンドオフである。
【００５５】
次に、図６を参照してカバー部材８について説明する。図６は、カバー部材８を示し、図６（ａ）は、上方から見た斜視図、図６（ｂ）は異なる方向の上方から見た斜視図を夫々示す。なお、説明にあたり、図６（ａ）において、図１のソケット１の一端４側に位置する部分即ち矢印Ａで示す部分を前部、他端６側（図１）に位置する部分を後部と便宜上称する。カバー部材８は、１枚の金属板から打抜き、折曲形成された矩形形状を呈している。カバー部材８の前部には、下方に湾曲した１対の離隔した軸受舌片６４が突設されており、さらにこれらの軸受舌片６４の中間には、カバー部材８の板面と面一に前方に延びる押さえ片６６が突設されている。
【００５６】
カバー部材８の中央部には、ＬＧＡパッケージ２００（図１）が位置する矩形の開口６８が形成されている。そして、前部と後部の間の両側は、下方に折り曲げられて側壁７０が形成されている。そして後部には下方に折り曲げられて形成された後壁７２と、この後壁７２の中央部分から下方に突出し、さらに水平に外方に延びるロック片７４とが形成されている。このロック片７４はレバー１２と係止する部分となる。なお、図６から判るように、カバー部材８の上面７５は下向きに僅かに湾曲している。この理由は、カバー部材８によってＬＧＡパッケージ２００をソケット１に押圧したときに、ＬＧＡパッケージ２００に均等に力が加わるようにするためである。
【００５７】
次に、ハウジング２の下側に配置される補強プレート１０について、図７を参照して詳細に説明する。図７は補強プレート１０を上方から見た斜視図である。補強プレート１０は、１枚の金属板から打抜き、折り曲により形成されたものであり、矩形状を呈している。前述のカバー部材８と同様に、ソケット１の一端４側（図１）即ち矢印Ｂで示す側を前部、他端６側（図１）を後部と便宜上称する。補強プレート１０は、４辺が上方に折り曲げられて、前壁７６、後壁７８、側壁８０、８１が形成されている。
【００５８】
前壁７６には上方に突出してさらに内側に折れ曲がる４つの略Ｌ字状の保持片８２が形成されている。各保持片８２は、前述の受け挫２４、３２に対応する位置に互いに離隔しており、且つ外側ハウジング３の前部を包む高さを有している。側壁８０は、前後方向に延びるように形成されている。側壁８１の上縁８４には、前述の外側ハウジング３の切欠５０に対応する位置に係止突起１４が、側壁８１の板面と略直交するように側方外側に向けて一体に形成されている。係止突起１４は、レバー１２を係止したときに外れにくいように下向きの面が凹面となっている。
【００５９】
また、補強プレート１０の中央部には、矩形の開口１６が形成されている。この開口１６の前後の縁部には、外側ハウジング３の突片５９、５８に夫々対応する切欠８７、８８が形成されている。突片５９、５８は、夫々切欠８７、８８と係合して、補強プレート１０とカバー部材８との相対的な位置関係が確保されるようになっている。
【００６０】
側壁８０、８１の後端部にはレバー１２を軸支するための軸支部９０が形成されている。この軸支部９０は、側壁８０側に上向きに突設された軸支片９２と、側壁８１側に形成された逆Ｕ字状の軸支片９６とから構成される。軸支片９２には、孔９４が穿設され、軸支片９６には、上下方向に長いスロット９８（１つだけ見える）が形成されており、孔９４とスロット９８とで、レバー１２を支持する軸受となる（図１および図２参照）。
【００６１】
また、底面１００の軸支片９６近傍に、舌片１０２が切り起こしにより形成されており、スロット９８内に挿入されたレバーの回動軸１３（図８参照）を下側から支持するようになっている。後壁７８には、互いに離隔した上方に延びる突片１０４が形成されている。これらの突片１０４は、前述の外側ハウジング３の溝５２に形成された図示しない取付溝と対応している。補強プレート１０を外側ハウジング３に取り付けるときには、前部の保持片８２で外側ハウジング３の前部を保持するとともに、これらの突片１０４が、外側ハウジング３の前述の図示しない取付溝に圧入されて保持される。このとき突片１０４に熱が加えられて、外側ハウジング３の取付溝を部分的に軟化させながら圧入することが好ましい。
【００６２】
次に、レバー１２について、図８を参照して詳細に説明する。図８はレバー１２の斜視図である。レバー１２は、１本の金属線から折曲形成され、補強プレート１０の軸支部９０によって支持される離隔した回動軸１３と、この回動軸１３の間に位置する、回動軸１３から偏倚したクランク部即ちロック部１５と、回動軸１３を回動させるための操作部１７とを有する。操作部１７は、ロック部１５と略同じ方向に回動軸１３と直角に折り曲げられており、先端部はＵ字状に折り返されて、指で操作しやすいようにＵ字状部１７ａが形成されている。
【００６３】
次に、図９および図１０を参照して、前述の各部品を組み合わせたソケット１について説明する。図９は、カバー部材を開放した状態の、ソケット１を上方から見た斜視図、図１０は、カバー部材を開放した状態の、ソケット１を異なる方向の上方から見た斜視図を夫々示す。これらの図９および図１０では、ＬＧＡパッケージ２００が内側ハウジング１２０に載置されている。なお、再び図１も合わせて参照すると、カバー部材８は、その軸受舌片６４が、外側ハウジング３の空隙２８に挿入され、且つ押さえ片６６が、１対の凸面３０の間に配置される。
【００６４】
これらの軸受舌片６４は、軸２６の周りに摺動してカバー部材８を回動可能に支持するとともに、押さえ片６６が凸面３０、３０間の外側ハウジング３の縁部３１に位置して、カバー部材８が空隙２８から脱落する方向へ移動するのが阻止される。内側ハウジング１２０は、外側ハウジング３の開口２２（図３）内に配置されている。このとき、前述の逃げ溝６０、６２は、内側ハウジング１２０によって覆われることはなく、カバー部材８が閉鎖したときに、カバー部材８の側壁７０がこの逃げ溝６０、６２内に収容されるようになっている。
【００６５】
図９および図１０では、補強プレート１０がハウジング２の底部に配置されて、補強プレート１０の係止突起１４が、外側ハウジング３の切欠５０内に位置しているのが明瞭に示されている。そして補強プレート１０の４つの保持片８２が、外側ハウジング３の受け座２４、３２に位置してハウジング２に取り付けられているのが判る（図９）。特に軸２６の受け座２４に位置している保持片８２は、軸２６を介して、カバー部材８と係合している。なお、保持片８２は、カバー部材の回動範囲を規制するストッパとしても機能する。
【００６６】
レバー１２は、補強プレート１０の軸支片９２、９６によって軸支されている状態が明瞭に示されている。そして、ロック部１５は、カバー部材８のロック片７４との係合が解除された位置にある。即ちレバー１２の操作部１７を持ち上げたときに、カバー部材８との係合が外れるようになっている。
【００６７】
ＬＧＡパッケージ２００は、開口６８と略相補形の凸部２０２および凸部２０２の周囲を取り巻く鍔部２０４を有する。凸部２０２は、カバー部材８の開口６８内に位置する大きさとなっている。カバー部材８が、ハウジング２の上に閉鎖されると、カバー部材８の開口６８の周縁部が、ＬＧＡパッケージ２００の鍔部２０４を内側ハウジング１２０に向けて押圧するようになっている。
【００６８】
このように構成されたソケット１を、使用するときの状態について、再び図１および図２を参照して説明する。カバー部材８は、軸２６とレバー１２のロック部１５により係止されてＬＧＡパッケージ２００を押圧している。このときレバー１２に加わる力は、補強プレート１０の軸支片９２、９６によって支持される。また、補強プレート１０の一端側は、外側ハウジング３の軸２６に係合しているので、ハウジング２は全体として、剛性のある金属製のカバー部材８と補強プレート１０とにより保持された状態となっている。従って、ハウジング２にＬＧＡパッケージ２００が押圧されることによる下向きの力は、補強プレート１０によって支持されるので、ハウジング２が変形する虞はない。
【００６９】
次に、図１１から図１９を参照して、本発明の第２の実施形態について説明する。この第２の実施形態は、絶縁ハウジングの底部に配置される補強プレートを２部材にした点が第１の実施形態と最も大きく異なる点である。図１１および図１２は、図１１の外側ハウジングを示し、図１１（ａ）は、平面図、図１１（ｂ）は左側面図、図１１（ｃ）は右側面図、図１１（ｄ）は正面図、図１１（ｅ）は背面図を夫々示す。また、図１２（ａ）はハウジングの底面図、図１２（ｂ）は図１２（ａ）のｂ−ｂ断面図、図１２（ｃ）は図１２（ａ）のｃ−ｃ断面図、図１２（ｄ）は図１２（ａ）のｄ−ｄ断面図を夫々示す。
【００７０】
この第２の実施形態のソケット３００（図１５）のハウジングは、外側ハウジング３０３と、第１の実施形態で使用された内側ハウジング１２０とから構成される。内側ハウジング１２０は、既に説明したので詳細な説明および図を省略する。また、カバー部材、レバーも第１の実施形態のカバー部材８、レバー１２と夫々同じものなので、詳細な説明を省略する。しかし、必要に応じ、第１の実施形態と同じ番号を使用して説明する。なお、外側ハウジング３０３は、第１の実施形態の外側ハウジング３と類似しているので異なる点を主に説明する。
【００７１】
図１１および図１２に示すように、外側ハウジング３０３の側部の上端には、一端３０４から他端３０６に延びる突壁３４７、３４９が形成されており、この突壁３４７、３４９の下側に、これらの突壁３４７、３４９に沿って夫々延びる溝４３８、４４０が形成されている。これらの溝４３８、４４０は、図１２（ａ）から判るように、外側ハウジング３０３の底部側の溝４３９、４４１に夫々連通している。
【００７２】
一端３０４側の両側部には、上向きのリブ４４２を有する弧状係止部４４４が形成されている。各弧状係止部４４４の内側には、弧状係止溝４４６が形成されている。これらの溝４３８、４４０、弧状係止溝４４６には、後述する補強プレート３１０（図１３、図１４）が配置される。この詳細については後述する。また、外側ハウジング３０３の他端３０６側の底部に形成されたＵ字状溝３４４に連通して、前後方向に延び且つ外側ハウジング３０３を上下に貫通するスロット４４８、４４９が形成されている。スロット４４９には、側方に向け開放する切欠４５０が形成されている。ここで前後方向とは、図１１（ａ）において、一端３０４を前、他端３０６を後として便宜上いうものとする。
【００７３】
外側ハウジング３０３には、第１の実施形態と同様な開口３２２、３４０、軸３２６、空隙３２８、切欠３５０が形成されている。これらは、第１の実施形態において説明したので、詳細な説明は省略する。
【００７４】
次に、図１３および図１４を参照して、第２の実施形態のソケットに使用される金属製補強プレートについて説明する。この金属製補強プレートは、２部材から構成される。まず最初に、図１３を参照して、外側ハウジング３０３の溝４４０に配置される一方の金属製補強プレート（金属製補強部材）３１０ａについて説明する。図１３は、一方の補強プレート３１０ａを示し、図１３（ａ）はこの補強プレート３１０ａの平面図、図１３（ｂ）は正面図、図１３（ｃ）は底面図、図１３（ｄ）は背面図、図１３（ｅ）は図１３（ｂ）において矢印ｅで示す方向から見た側面図を夫々示す。なお、ここで、いう正面図、背面図等は、便宜上のものであり、図１２に示す外側ハウジング３０３の正面図、背面図等とは整合していない。
【００７５】
補強プレート３１０ａは、１枚の金属板から打抜きおよび折曲により形成されたものであり、細長い形状をしている。補強プレート３１０ａは、溝４４０に配置される主壁４５２、溝４４１に配置される底壁４５４を有する。底壁４５４には、さらに他端３０６側（図１１（ａ））において、偏倚して右側に延びる延長片４５６が形成されている。この延長片４５６には、スロット４４９に圧入して係止される軸支片３９６が形成されている。
【００７６】
軸支片３９６は、レバー１２（図１５）を軸支するＵ字状のスロット３９８を有する。また、主壁４５２の、延長片４５６と反対側の端部には、弧状係止溝４４６に係合する弧状係止片４５８が形成されている。また、主壁４５２の上縁には外側ハウジング３０３の切欠３５０に対応して係止突起（係止部）３１４が突設されている。
【００７７】
次に、溝４３８に配置される他方の金属製補強プレート（金属製補強部材）３１０ｂについて、図１４を参照して説明する。図１４は、補強プレート３１０ｂを示し、図１４（ａ）は補強プレート３１０ｂの平面図、図１４（ｂ）は正面図、図１４（ｃ）は底面図、図１４（ｄ）は背面図、図１４（ｅ）は図１４（ｂ）において矢印ｅで示す方向から見た側面図を夫々示す。なお、ここで、正面図、背面図等は、便宜上のものであり、図１２に示す外側ハウジング３０３の正面図、背面図等とは整合していない。
【００７８】
補強プレート３１０ｂは、溝４３８に配置される主壁４５３、溝４３９に配置される底壁４５５、主壁４５３に対向して底壁４５５の端部に突設された軸支片３９２を有する。軸支片３９２は、スロット４４８に圧入して係止されるようにその上端が主壁４５２の上端より高くなっている。軸支片３９２は、レバー１２を軸支するＵ字状のスロット３９４を有する。また、主壁４５２の、軸支片３９２と反対側の端部には、弧状係止溝４４６に係合する弧状係止片４５９が形成されている。これらの補強プレート３１０ａ、３１０ｂは、いずれも外側ハウジング３０３の下側から、外側ハウジング３０３の下側を支持して補強するように取り付けられる。
【００７９】
次に、上述した部品を組み立てた第２の実施形態のソケット３００について、図１５から図１７を参照して説明する。図１５はソケット３００を示し、図１５（ａ）は平面図、図１５（ｂ）は正面図、図１５（ｃ）は図１５（ａ）において矢印ｃから見た側面図、図１５（ｄ）は、図１５（ａ）において矢印ｄから見た側面図を夫々示す。また、図１６は、ソケット３００の底面図である。また、図１７は、図１５（ａ）の１７−１７線に沿う断面図である。なお、これらの図１５から図１７において、内側ハウジング１２０およびＬＧＡパッケージ２００は省略してある。
【００８０】
第２の実施形態の特徴的な構成は、図１５（ｃ）、（ｄ）および図１６に最も良く表されているように、２部材の補強プレート３１０ａ、３１０ｂが外側ハウジング３０３の側部から下部にかけて取り付けられている点である。即ち補強プレート３１０ａ、３１０ｂにより外側ハウジング３０３の下部が支持されていることが重要である。補強プレート３１０ａ、３１０ｂの軸支片３９６および３９２に、レバー１２が回動可能に支持されている。カバー部材８が閉じられると、図１７に示されるようにレバー１２のロック部１５により、カバー部材８のロック片７４がロックされる点は第１の実施形態と同じである。カバー部材８の軸受舌片６４と外側ハウジング３０３との係合の態様は、第１の実施形態と同様であるので、詳細な説明は省略する。
【００８１】
第２の実施形態では、２部材即ち補強プレート３１０ａ、３１０ｂからなる補強プレート３１０が、外側ハウジング３０３の下部に取り付けられ、この補強プレート３１０とカバー部材８との間に外側ハウジング３０３を保持するよう構成されている。従って、内側ハウジング１２０を含むハウジング３０２が、ＬＧＡパッケージ２００の接続の際に変形する虞はない。ＬＧＡパッケージ２００の接続の際にハウジング３０２に加わる力が、一端３０４から他端３０６間に亘る実質２辺で支持されることを考慮すると、第２の実施形態でも十分変形を阻止することができる。また、ハウジング３０２の下部全周に延在するものではないので軽量化できる。
【００８２】
次に、本発明の第３の実施形態について、図１８から図２１を参照して説明する。図１８は、第３の実施形態のソケット５０１を示し、図１８（ａ）はソケット５０１の側面図、図１８（ｂ）は、平面図、図１８（ｃ）は一部を破断して示す他側の側面図、図１８（ｄ）は、正面図を夫々示す。また、図１９は、図１８のソケット５０１の金属製補強プレート（金属製補強金具）５１０を示し、図１９（ａ）は平面図、図１９（ｂ）は側面図、図１９（ｃ）は他側の側面図、図１９（ｄ）は正面図、図１９（ｅ）は、図１９（ａ）の１９ｅ−１９ｅ線に沿う部分断面図である。また、図２０は、ソケット５０１に使用されるカバー部材５０８を示し、図２０（ａ）は平面図、図２０（ｂ）は背面図、図２０（ｃ）は側面図、図２０（ｄ）は他側の側面図、図２０（ｅ）は図２０（ａ）の２０ｅ−２０ｅ線に沿う断面図、図２０（ｆ）は正面図、図２０（ｇ）は図２０（ａ）の２０ｇ−２０ｇ線に沿う断面図を夫々示す。図２１は、ソケット５０１に使用される絶縁ハウジング（以下、単にハウジングという）を示し、図２１（ａ）は、ハウジング５０５の平面図、図２１（ｂ）は側面図、図２１（ｃ）は正面図を夫々示す。
【００８３】
最初に、図１８を参照して説明する。図１８に示すように、ソケット５０１は、補強プレート５１０と、この補強プレート５１０内に収容されたハウジング５０５と、補強プレート５１０の一端側で回動可能に軸支されたカバー部材５０８と、カバー部材５０８を係止するレバー５１２を有する。なお、本図において、ハウジング５０５のキャビティ５４４（図２１）は、図示を省略している。また、後述するＬＧＡパッケージ５２９（図２６）も省略している。レバー５１２は、補強プレート５１０の他端側に回動自在に軸支されて、カバー部材５０８がハウジング５０５を閉鎖したときに、カバー部材５０８の自由端部に位置するロック片５７４に係止するようになっている。
【００８４】
この第３の実施形態のソケット５０１が、前述の第１および第２の実施形態と異なる点は、カバー部材５０８が、絶縁ハウジング５０５を介さずに補強プレート５１０に直接係合している点である。これによって絶縁ハウジング５０５に無理な曲げ応力が付加されないので、絶縁ハウジング５０５が変形する虞が少なくなる。この係合関係については後述する。なお、前述の各実施形態と類似の構成については詳細な説明を省略する。
【００８５】
次に、図１９を合わせて参照して、補強プレート５１０について詳細に説明する。補強プレート５１０は、矩形の開口５１６を有する略矩形形状を呈し、周囲の４辺に壁５０２、５０３、側壁５０７（５０７ａ、５０７ｂ）を有する。壁５０２には、レバー５１２を軸支するための支持部５０４、５０６が、壁５０２から内向きに折り曲げられて、壁５０２と一体に突設されている。支持部５０６は、壁５０２から内側に折り曲げられて延びる板部５０６ａと、この板部５０６ａの先端近傍の側部で折り曲げられた、レバー５１２の回動軸（軸支部）５１３を支持する支持舌片５１８（図１８（ｃ））を有する。この支持舌片５１８は回動軸５１３を板部５０６ａとの間にを支持する円弧状部分５１８ａを有している。
【００８６】
また、他方の支持部５０４は、板部５０６ａと同様に壁５０２から折り曲げられて延びる板部５０４ａを有する。さらに、支持部５０４は、図１９（ａ）および図１９（ｄ）に最もよく示すように、この板部５０４ａから斜め下方に延出する押さえ舌片５０４ｂを有する。この押さえ舌片５０４ｂは、レバー５１２のクランク状のロック部５１５（図１８（ｂ））が、図１８（ｂ）において左方に抜け出るのを防止するためのものである。即ち、レバー５１２のロック部５１５が、図１８（ｂ）において、左方に抜け出ようとするとき、ロック部５１５の側面５１５ａが、押さえ舌片５０４ｂに当接して左方への移動が阻止される。また、両支持部５０４、５０６の間に位置する矩形の開口５０９は、カバー部材５０８のロック片５７４が、レバー５１２のロック部５１５によって係止されるときにロック片５７４の逃げとなる開口である。
【００８７】
また、図１９（ａ）において、壁５０２の左方には停止壁５２１が壁５０２の延長上に突設されている。この停止壁５２１の機能について、図１８（ｂ）を参照して説明する。図１８では、カバー部材５０８が閉じられて、レバー５１２が補強プレート５１０の係止突起（係止部）５１４に係止されている。しかし、ＬＧＡパッケージ５２９を取り付けたり、或いは既に取り付けられているＬＧＡパッケージ５２９を取り外したりするときは、ロック部５１５とロック片５７４との係合を解除してカバー部材５０８を開く必要がある。その際、レバー５１２の操作部５１２ａを矢印Ａで示す方向に移動させてレバー５１２と係止突起５１４との係合を解除する操作がなされる。この操作により、レバー５１２が回動軸５１３の周りに回動可能となる。
【００８８】
この操作部５１２ａの操作により、支持部５０４から操作部５１２ａに至るまでの軸５１２ｂ（図１８（ｂ））が、矢印Ｂで示す方向に変位する。従って、この軸５１２ｂの、操作部５１２ａと反対側には空間５３１が存在することが必要である。この空間５３１がないと、軸５１２ｂは停止壁５２１により矢印Ｂ方向への移動を阻止されるので、操作部５１２ａを操作するのに大きな力が必要になり、レバー５１２の操作性が低下する。
【００８９】
従って、この第３の実施形態においては、空間５３１を形成するために、操作部５１２ａと軸５１２ｂとのなす角度αを鈍角に形成している。この角度αは９１°〜９５°が好ましく、また、９２°〜９３°が一層好ましい。このとき軸支部５１３と操作部５１２ａとのなす角度は直角である。即ち軸５１２ｂのみが、軸支部５１３に対し、僅かに傾斜して形成されている。また、前述の停止壁５２１は、レバー５１２の開状態を維持するためのものである。
【００９０】
再び、図１９を参照して説明する。側壁５０７ａの一端側は、内方に直角に折り曲げられて、カバー部材５０８の回動軸５２３が形成されている。また、側壁５０７ａの他端側には、内方に斜めに折り曲げられた軸受片５２４が形成されている。軸受片５２４は、レバー５１２の軸５１２ｂを支持する上向きの円弧状部分５２４ａを有する。回動軸５１３は、前述の板部５０４ａと軸受片５２４、および板部５０６ａと円弧状部５１８ａとにより回動可能に支持される。これにより、レバー５１２は、支持部５０４，５０６により回動自在に補強プレート５１０に保持される。
【００９１】
また、側壁５０７ｂは、その一端側に回動軸５２３に対応して回動軸５２６が形成されている。回動軸５２３および５２６により、カバー部材５０８は回動可能に補強プレート５１０に支持されるがこの態様については後述する。
【００９２】
補強プレート５１０の前述の開口５１６の対向する端縁５２８には、４カ所の切欠（係合部）５２８ａが形成されている。この切欠５２８ａは、ハウジング５０５が熱加締めされて取り付けられる部分となるが、取付の詳細は後述する。
【００９３】
次に、図２０を合わせて参照して、カバー部材５０８についてさらに詳細に説明する。カバー部材５０８は、金属板を打抜きおよび曲げ加工して形成されたもので、矩形形状を呈し、矩形の開口５６８を有する。カバー部材５０８の壁５７１の中央にはロック片５７４が形成され、壁５７１の反対側の壁５７６には近傍の側壁５３４、５３５には軸係合部５３０、５３２が形成される。軸係合部５３０は、打抜きおよび折曲により形成された、側壁５３４の一端側に形成されたＵ字状の軸受孔５３６を有する。また、軸係合部５３２は、側壁５３５の一端側に形成されたＵ字状の切欠５３８と、カバー部材５０８の主面５０８ａにより形成された軸受孔５３７を有する。これらの軸受孔５３６、５３７内に前述の回動軸５２３、５２６が夫々挿入されて、カバー部材５０８が回動可能に補強プレート５１０に軸支される。
【００９４】
軸受孔５３６は、閉じた孔であり、軸受孔５３７は、主面５０８ａから延出した舌片５３７ａと、側壁５３５から延出した舌片５３７ｂから構成される孔である。カバー部材５０８の取付は、軸係合部５３０が先に補強プレート５１０の回動軸５２３と係合され、次に、軸係合部５３２が回動軸５２６と係合される。舌片５３７ａは、舌片５３７ｂに向けて僅かに傾斜して両舌片５３７ａ、５３７ｂ間の間隙を少なくしているので、軸係合部５３２と回動軸５２６との係合が外れることはない。
【００９５】
図２０から判るように、カバー部材５０８の主面５０８ａは、曲面状に形成されている。即ち、図２０（ａ）に最もよく示すように、カバー部材５０８の外縁から開口５６８の対向する端縁５７０、５７０に至るまで、カバー部材５０８の主面５０８ａが紙面において向こう側に突出するように形成されている。この曲面は、領域５７２と領域５７３とで異なる曲率を有する。即ち領域５７２では、曲率は小さく、領域５７３では大きな曲率を有する。この曲率は、例えば曲率が小さい領域５７２では曲率半径が７８８ｍｍであり、領域５７３では曲率半径は２１３ｍｍに設定される。そして端縁５７０の中央部が、最も突出する点となる。この点、即ち加圧点５７０ａ、５７０ａで、ＬＧＡパッケージ５２９を押圧することになる。
【００９６】
カバー部材５０８によりＬＧＡパッケージ５２９が押圧されるときの態様について、図２６を合わせて参照して説明する。図２６は、ソケット５０１のカバー部材５０８が、仮想線で示すＬＧＡパッケージ５２９を押圧した状態を透視的に示す要部側面図である。ＬＧＡパッケージ５２９は３層に形成されている。即ち放熱部５２９ａと、その下に位置する荷重受部５２９ｂと、その下に位置する基板５２９ｃとから構成されている。荷重受部５２９ｂは放熱部５２９ａより大面積であり、上向きの段部５３９が形成されている。前述の加圧点５７０ａはこの段部５３９に当接して荷重受部５２９ｂを下方に押圧する。
【００９７】
加圧点５７０ａはＬＧＡパッケージ５２９から荷重を受ける力点であるので、最も上下方向に変位しやすく、加圧点５７０ａから離れた領域５７２の変位量は小さい。従って、領域５７３の変形によってカバー部材５０８の変形がコントロールされ、加圧点５７０ａで確実にＬＧＡパッケージ５２９が押圧保持される。このとき、カバー部材５０８が押圧により変形しても、ＬＧＡパッケージ５２９の上面５４１との間には間隙Ｇが形成される。従ってＬＧＡパッケージ５２９に放熱部の上面まで、後述するヒートシンク５６２が取り付けられても、ヒートシンク５６２をＬＧＡパッケージ５２９から外れる方向、即ち上方に押し上げることがない。
【００９８】
次に図２１を参照して、ハウジング５０５について詳細に説明する。ハウジング５０５は、絶縁プラスチックを成形して形成され、矩形形状を呈し、外周壁５３３で囲まれたパッケージ受容部５４０を有する。パッケージ受容部５４０の底面５４２には、コンタクトを受容する多数のキャビティ５４４がマトリックス状に形成されている。このキャビティ５４４は、開口５４６を除く底面５４２全域に形成されているが、図２１（ａ）では、その一部のみを示し他は省略してある。またキャビティ５４４内には電気コンタクト５４３が配置されている。
【００９９】
周壁５３３の内側には、ＬＧＡパッケージ５２９を受容する際に、キーイングとなる２種類の突起５３３ａ、５３３ｂが形成されている。また、周壁５３３の対向する両側に、カバー部材５０８の曲面に対応して、凹み５４８が形成されている。この凹み５４８は、カバー部材５０８がこのハウジング５０５上に閉鎖されたときに、カバー部材５０８の曲面と干渉しないようにするための逃げである。また、ハウジング５０５の下面５５２には、図示しない基板に接続するための多数の電気コンタクト５４３に接続されたはんだボール５５０が突出している。また、図２１（ｂ）に最もよく示すように、下面５５２から突起（加締部）５５４がハウジング５０５と一体に突設されている。この突起５５４は、前述の切欠５２８ａに係合した後、熱加締めされるが、その態様の詳細について次に説明する。
【０１００】
図２２および図２３を参照して、ハウジング５０５と補強プレート５１０との取付関係について詳細に説明する。図２２はハウジング５０５を補強プレート５１０に載置して固定される前の状態を示し、図２２（ａ）は底面図、図２２（ｂ）は側面図である。図２３は、ハウジング５０５を補強プレート５１０に完全に固定した状態を示し、図２３（ａ）は底面図、図２３（ｂ）は側面図である。
【０１０１】
まず、図２２に示すように、ハウジング５０５を補強プレート５１０に載置すると前述の４つの突起５５４は、補強プレート５１０の対応する切欠５２８ａに係合する。即ち、突起５５４は切欠５２８ａ内に位置する。このとき、図２２に明瞭に示されているように、突起５５４は補強プレート５１０の下面５１１から突出する。図２２（ａ）において、５５６で示すのは、突起５５４に隣接してハウジング５０５に形成された凹みである。この凹み５５６の作用については後述する。
【０１０２】
このように突出した突起５５４は、ハウジング５０５と一体の樹脂製であるので、補強プレート５１０の下面５１１から熱加締めを行なうと、図２３に示す形状となる。即ち、図２３においては、熱加締めされた突起５５４は、溶融して押圧されるので、切欠５２８ａの周囲に拡大した潰れ部５５４ａが形成される。この潰れ部５５４ａは冷却されると、固化してハウジング５０５を補強プレート５１０に固着させる。突起５５４が溶融したときに前述の凹み５５６に流れ込み、突起５５４近傍のはんだボール５５０に流れて、はんだボール５５０に付着することが防止される。従って、電気的接続に悪影響を及ぼすことが防止される。
【０１０３】
次に、図２４を参照して、組み立て後のソケット５０１の構造について説明する。図２４は、ソケット５０１の要部断面図であり、図２４（ａ）は、吸着キャップ５６０のついたソケット５０１の要部断面図、図２４（ｂ）は、吸着キャップ５６０を取り外して、ＬＧＡパッケージ５２９を装着する前のソケット５０１の要部断面図である。ハウジング５０５が、補強プレート５１０の開口５１６内に配置されているのが明瞭に示されている。そして前述の潰れ部５５４ａと、ハウジング５０５の段部５５８とにより補強プレート５１０が固定されているのが明瞭に示されている。
【０１０４】
図２４（ａ）に示すように、ハウジング５０５のパッケージ受容部５４０内には、吸着キャップ５６０が配置されており、この吸着キャップ５６０がカバー部材５０８により固定されている。この状態で吸着キャップ５６０が図示しない吸引装置により吸着されて、ソケット５０１が所定の基板（図示せず）に運搬されて実装される。しかる後、図２４（ｂ）のように吸着キャップ５６０が取り外される。ＬＧＡパッケージ５２９は、この後、パッケージ受容部５４０に装着される。図２４に示すように、カバー部材５０８が回動軸５２３（５２６）と、軸受孔５３６（５３７）とにより回動可能に保持されているのが明瞭に示されている。また、図２４には、電気コンタクト５４３が配置されているのが明瞭に示されている。
【０１０５】
次に図２５を参照して、ヒートシンクを取り付けた場合について説明する。図２５は、ソケット５０１にヒートシンク５６２を取り付けた組立体の側面図である。ヒートシンク５６２は、ＬＧＡパッケージ５２９がソケット５０１に装着された後、ソケット５０１とは独立して、ソケット５０１が載置される基板または筐体（図示せず）に取り付けられる。このときＬＧＡパッケージ５２９の平坦な上面と、ヒートシンク５６２の平坦な下面とが面接触し、この面接触により、ＬＧＡパッケージ５２９の熱がヒートシンク５６２に移動して、ヒートシンク５６２を介して放熱するようになっている。カバー部材５０８の上面５６４は、下方に湾曲した曲面に形成されているので、図２６を参照して前述した如く、取り付けられたカバー部材５０８の上面５６４と、ヒートシンク５６２との間には間隙が形成され、ヒートシンク５６２がカバー部材５０８により上方に押し上げられることはない。
【０１０６】
以上、本発明について詳細に説明したが、上記実施形態に限定されるものではなく、種々の変形、変更が考えられることは勿論である。例えば、第１および第２の実施形態において、外側ハウジング３、３０３と内側ハウジング１２０は、別体として構成されているが、樹脂の一体成型により構成してもよい。
【０１０７】
なお、カバー部材と、補強部材は、必ずしもハウジングに係合する必要はなく、互いに直接係合してもよい。この直接係合する態様としては、カバー部材が補強部材に軸支されることが考えられるが、その場合、カバー部材が回転軸を有し、補強部材が回転軸受を有してもよいし、その逆の構成でもよい。
【０１０８】
また、カバー部材と補強部材が直接係合する他の態様としては、カバー部材および補強部材がともに回転軸孔を有し、カバー部材が補強部材とは別体の金属製軸部材により、補強部材に軸支されるよう構成してもよい。
【０１０９】
第３の実施形態において、ハウジング５０５を補強プレート５１０に取り付けるのは、ハウジング５０５の突起５５４の熱加締めにより行ったが、熱加締めの他に任意の適切な係合関係を構成する加締めにより取り付けてもよい。
【図面の簡単な説明】
【図１】ＬＧＡパッケージが取り付けられた、本発明の第１の実施形態のＬＧＡパッケージ用ソケットを上方から見た斜視図
【図２】図１に示すＬＧＡパッケージ用ソケットを下方から見た斜視図
【図３】図１のＬＧＡパッケージ用ソケットに使用される外側ハウジングを示し、（ａ）は上方から見た斜視図、（ｂ）は下方から見た斜視図
【図４】図１のＬＧＡパッケージ用ソケットに使用される内側ハウジングを上方から見た斜視図
【図５】図１のＬＧＡパッケージ用ソケットに使用される内側ハウジングを下方から見た斜視図
【図６】図１のＬＧＡパッケージ用ソケットに使用されるカバー部材を示し、（ａ）は、上方から見た斜視図、（ｂ）は異なる方向の上方から見た斜視図
【図７】図１のＬＧＡパッケージ用ソケットに使用される金属製補強プレートを上方から見た斜視図
【図８】図１のＬＧＡパッケージ用ソケットに使用されるレバーの斜視図
【図９】カバー部材を開放した状態の、第１の実施形態のＬＧＡパッケージ用ソケットを上方から見た斜視図
【図１０】カバー部材を開放した状態の、第１の実施形態のＬＧＡパッケージ用ソケットを異なる方向の上方から見た斜視図
【図１１】本発明の第２の実施形態のＬＧＡパッケージ用ソケットに使用される外側ハウジングを示し、（ａ）は、平面図、（ｂ）は左側面図、（ｃ）は右側面図、（ｄ）は正面図、（ｅ）は背面図を夫々示す。
【図１２】図１１の外側ハウジングを示し、（ａ）は底面図、（ｂ）は、図１２（ａ）のｂ−ｂ断面図、（ｃ）は、図１２（ａ）のｃ−ｃ断面図、（ｄ）は、図１２（ａ）のｄ−ｄ断面図を夫々示す。
【図１３】本発明の第２の実施形態に使用される一方の補強プレートを示し、（ａ）は補強プレートの平面図、（ｂ）は正面図、（ｃ）は底面図、（ｄ）は背面図、（ｅ）は、図１３（ｂ）において矢印ｅで示す方向から見た側面図を夫々示す。
【図１４】本発明の第２の実施形態に使用される他方の補強プレートを示し、（ａ）は平面図、（ｂ）は正面図、（ｃ）は底面図、（ｄ）は背面図、（ｅ）は、図１４（ｂ）において矢印ｅで示す方向から見た側面図を夫々示す。
【図１５】本発明の第２の実施形態のＬＧＡパッケージ用ソケットを示し、（ａ）は平面図、（ｂ）は正面図、（ｃ）は、図１５（ａ）において矢印ｃから見た側面図、（ｄ）は、図１５（ａ）において矢印ｄから見た側面図を夫々示す。
【図１６】本発明の第２の実施形態のＬＧＡパッケージ用ソケットの底面図
【図１７】図１５（ａ）の１７−１７線に沿うＬＧＡパッケージ用ソケットの断面図
【図１８】本発明の第３の実施形態のＬＧＡパッケージ用ソケットを示し、（ａ）はＬＧＡパッケージ用ソケットの側面図、（ｂ）は平面図、（ｃ）は一部を破断して示す他側の側面図、（ｄ）は正面図を夫々示す。
【図１９】図１８のＬＧＡパッケージ用ソケットの金属製補強プレートを示し、（ａ）は平面図、（ｂ）は側面図、（ｃ）は他側の側面図、（ｄ）は正面図、（ｅ）は、図１９（ａ）の１９ｅ−１９ｅ線に沿う部分断面図を夫々示す。
【図２０】図１８のＬＧＡパッケージ用ソケットに使用されるカバー部材を示し、（ａ）は平面図、（ｂ）は背面図、（ｃ）は側面図、（ｄ）は他側の側面図、（ｅ）は図２０（ａ）の２０ｅ−２０ｅ線に沿う断面図、（ｆ）は正面図、（ｇ）は図２０（ａ）の２０ｇ−２０ｇ線に沿う断面図を夫々示す。
【図２１】図１８のＬＧＡパッケージ用ソケットに使用される絶縁ハウジングを示し、（ａ）は、ハウジングの平面図、（ｂ）は側面図、（ｃ）は正面図を夫々示す。
【図２２】ハウジングを補強プレートに載置して固定される前の状態を示し、（ａ）は底面図、（ｂ）は側面図である。
【図２３】ハウジングを補強プレートに完全に固定した状態を示し、（ａ）は底面図、（ｂ）は側面図である。
【図２４】図１８のＬＧＡパッケージ用ソケットの要部断面図であり、（ａ）は、吸着キャップのついたＬＧＡパッケージ用ソケットの要部断面図、（ｂ）は、吸着キャップを取り外してＬＧＡパッケージを装着する前のＬＧＡパッケージ用ソケットの要部断面図である。
【図２５】ＬＧＡパッケージ用ソケットにヒートシンクを取り付けた組立体の側面図
【図２６】ＬＧＡパッケージ用ソケットのカバー部材が、ＬＧＡパッケージを押圧した状態を透視的に示す要部側面図である。
【符号の説明】
１、３００、５０１    ＬＧＡパッケージ用ソケット
２、５０５    絶縁ハウジング
４、３０４    一端
６、３０６    他端
８、５０８    カバー部材
１０、３１０、５１０    金属製補強部材
１２、５１２    レバー
１４、３１４、５１４    係止部
１２８、５４４    キャビティ
２００、５２９    ＬＧＡパッケージ
５１２ａ    操作部
５１２ｂ    軸
５１３    軸支部
５１５    ロック部
５２８ａ    切欠（係合部）
５３１    空間
５４３    電気コンタクト
５５４    突起（加締部）
５６８    開口
５７０    端縁
５７０ａ    加圧点
【図１】
2004207184.tif 000003
【図２】
2004207184.tif 000004
【図３】
2004207184.tif 000005
【図４】
2004207184.tif 000006
【図５】
2004207184.tif 000007
【図６】
2004207184.tif 000008
【図７】
2004207184.tif 000009
【図８】
2004207184.tif 000010
【図９】
2004207184.tif 000011
【図１０】
2004207184.tif 000012
【図１１】
2004207184.tif 000013
【図１２】
2004207184.tif 000014
【図１３】
2004207184.tif 000015
【図１４】
2004207184.tif 000016
【図１５】
2004207184.tif 000017
【図１６】
2004207184.tif 000018
【図１７】
2004207184.tif 000019
【図１８】
2004207184.tif 000020
【図１９】
2004207184.tif 000021
【図２０】
2004207184.tif 000022
【図２１】
2004207184.tif 000023
【図２２】
2004207184.tif 000024
【図２３】
2004207184.tif 000025
【図２４】
2004207184.tif 000026
【図２５】
2004207184.tif 000027
【図２６】
2004207184.tif 000028